(57)【要約】  【課題】外部からのエネルギーの供給がなくても画像を保持でき、高耐久性かつ高彩度の画像を形成でき、構造が簡単で、小型化が可能な画像表示装置を提供する。  【解決手段】透明材料から構成された画像表示板１の内部に、ジグザグ状に走査するような形状の流路２を形成し、この流路２内に、マイクロカプセル化した発色剤、および顕色剤を含む発色性液体ｄと、分断流体Ｖとを交互に供給して流路２内でセグメント流を生成しつつ移動させる。発色性液体ｄには流路２入口付近に設けた発色ユニット６で熱や紫外線などの所定の外部作用を施して所望の色を発色した発色液体Ｄとして流路２に供給し、画像表示面に画像を表示させる。【選択図】図６
2005084317.tif 000002
【特許請求の範囲】
【請求項１】
液体を用いて画像を表示する画像表示装置であって、
画像表示領域を有する画像表示板と、
前記画像表示板の前記画像表示領域に設けられ、流体の移動方向を規制する流路と、
前記流路に向けて、外部作用を受けて発色する発色性液体を間歇的に供給して、セグメント化された前記発色性液体からなるセグメント流を形成するセグメント流形成手段と、
前記発色性液体に、画像情報に基づく外部作用を与えて所望の色を発色させる発色手段と
を有し、前記セグメント流が前記流路の所定の位置に移動することにより、発色後の前記発色性液体によって前記画像表示領域に所望の画像が表示される画像表示装置。
【請求項２】
前記セグメント化された発色性液体は、気体または液体である分断流体によって互いに分断されている請求項１に記載の画像表示装置。
【請求項３】
前記発色手段は、前記発色性液体が前記セグメント化される時に前記発色性液体を発色させることを特徴とする請求項１または２に記載の画像表示装置。
【請求項４】
前記流路が、前記画像表示領域の一端から他端までジグザグ状に形成され、前記画像表示領域を密に走査する形状に形成されていることを特徴とする請求項１乃至３のいずれか一項に記載の画像表示装置。
【請求項５】
前記発色性液体が、無色であり、外部作用を受けて破壊される性質を備えた被膜によってマイクロカプセル化された発色剤と、前記発色剤に触れて前記発色剤を発色させる顕色剤またはカプラーを含むことを特徴とする請求項１乃至４のいずれか一項に記載の画像表示装置。
【請求項６】
前記マイクロカプセルは、前記発色剤を、所定温度以上に加熱されたときに破壊される被膜で密封したものであり、前記発色手段は、前記マイクロカプセルを前記所定温度以上に加熱する加熱手段であることを特徴とする請求項５に記載の画像表示装置。
【請求項７】
前記発色剤は、第１の色を発色する発色剤であって、第１の温度以上の温度で破壊される材料でマイクロカプセル化された、第１の波長の紫外線により分解する第１の発色剤、第２の色を発色する発色剤であって、前記第１の温度より高い第２の温度以上の温度で破壊される材料でマイクロカプセル化された、第２の波長の紫外線により分解する第２の発色剤、および、前記第２の温度より高い第３の温度以上の温度で破壊される材料でマイクロカプセル化された、第３の色を発色する第３の発色剤を含み、
前記顕色剤は、前記第１の発色剤を発色させる第１の顕色剤、前記第２の発色剤を発色させる第２の顕色剤、および前記第３の発色剤を発色させる第３の顕色剤を含み、
前記発色手段は、前記発色性液体が前記第１の温度になるように加熱する第１の加熱手段、前記第１の波長の紫外線を照射する第１の紫外線照射装置、前記発色性液体が前記第２の温度になるように加熱する第２の加熱手段、前記第２の波長の紫外線を照射する第２の紫外線照射装置、および前記発色性液体が前記第３の温度になるように加熱する第３の加熱手段を前記順序で前記セグメント流の移動方向に沿って、その上流側から下流側に向かう方向に配列したものであることを特徴とする請求項５または６に記載の画像表示装置。
【請求項８】
前記発色剤は、第１の色を発色する第１の発色剤、第２の色を発色する第２の発色剤、および、第３の色を発色する第３の発色剤を含み、
前記顕色剤は、第１の波長の光により顕色作用を消失させる材料を含む前記第１の発色剤を発色させる第１の顕色剤、第２の波長の光により顕色作用を消失させる材料を含む前記第２の発色剤を発色させる第２の顕色剤、および、第３の波長の光により顕色作用を消失させる材料を含む前記第３の発色剤を発色させる第３の顕色剤を有し、
前記発色手段は、前記第１の波長の光を発光する第１の発光装置、前記第２の波長の光を発光する第２の発光装置、前記第３の波長の光を発光する第３の発光装置、および前記発色性液体を加熱する加熱手段を含むことを特徴とする請求項５または６に記載の画像表示装置。
【発明の詳細な説明】
【技術分野】
【０００１】
本発明は、画像表示装置に係り、特にフラットパネルディスプレイのような薄型の画像表示装置に関する。
【背景技術】
【０００２】
従来より、パーソナルコンピュータや携帯情報端末（ＰＤＡ）等の情報端末機器やカーナビゲーションシステムの画像表示装置として液晶表示装置（ＬＣＤ）が広く用いられている。液晶表示装置は、応答速度が速く、鮮明なカラー画像の動画を表示できるという利点がある反面、構造が複雑で製造費用が嵩むため製品の価格が高い、消費電力が高い、画像保持に電力を要する、視野角が狭い、等の欠点がある。そのため、液晶表示装置の代替品として様々な方式の画像表示装置が提案されている。
【０００３】
例えば、液体の膜沸騰現象を利用して画像のオン／オフを切替える表示装置が提案されている（例えば、特許文献１および特許文献２参照）。また、セル内のインクを熱的に膨張或いは収縮させたり、ダイアフラムを機械的に駆動することにより画像表示部にインクを出し入れして、画像のオン／オフを切り替える表示装置を提案するものもある（例えば、特許文献３参照）。さらに、一部を遮光マスクで覆った透光性筐体（セル）内に遮光性流体を略半分収容し、外部から赤外線を照射して生じる遮光性流体の表面張力勾配により、前記遮光性流体を駆動して光の透過／遮光を切り替える方式の表示装置を提案するものもある（例えば特許文献４参照）。
【特許文献１】特開平５−１２７６０３号公報
【特許文献２】特開平５−１２７６０４号公報
【特許文献３】特開２００１−４２７９４号公報
【特許文献４】特開２００２−１６９１０５号公報
【発明の開示】
【発明が解決しようとする課題】
【０００４】
しかし、特許文献１および２のような流体の膜沸騰現象を利用する画像表示装置では、膜沸騰の持続時間が１０μｓｅｃと短いため、画像を表示し続けるには１０ｋＨｚ程度の電圧を印加し続けなければならないという問題や、装置の耐久性が低い、表示画像の彩度が低い、等の問題がある。また、特許文献３に開示されたような、インクを熱的に膨張或いは収縮させる方式では、インクの熱膨張率が低く、インクを３００Ｋから３５０Ｋに加熱してもインクの体積の変化は約２％程度と小さい。そのため、所定の体積の増加を確保しようとすると、画像表示部の体積に対して相当大きなリザーバータンクが必要となり、装置が大型化するという問題がある。
【０００５】
また、ダイアフラムを機械的に駆動する方式では、装置の構造が複雑になり、装置の小型化を阻害する、という問題がある。更に、特許文献４に開示された方式では、遮光マスクにより特定波長の光を遮断するため、一度遮光性流体を移動させて情報を書き込むと、書き込み情報をリフレッシュすることができない、という問題がある。
【０００６】
本発明は、上記問題を解決するためになされたものであり、外部からのエネルギーを供給することなく書き込み情報を保持でき、高耐久性かつ高彩度の画像を形成でき、構造が簡単で、小型化および画像の書き換えが可能な画像表示装置を提供することを目的とする。
【課題を解決するための手段】
【０００７】
上記課題を解決するため、本発明の画像表示装置では、液体を用いて画像を表示する画像表示装置であって、画像表示領域を有する画像表示板と、前記画像表示板の前記画像表示領域に設けられ、流体の移動方向を規制する流路と、前記流路に向けて、外部作用を受けて発色する発色性液体を間歇的に供給して、セグメント化された前記発色性液体からなるセグメント流を形成するセグメント流形成手段と、前記発色性液体に、画像情報に基づく外部作用を与えて所望の色を発色させる発色手段とを有し、前記セグメント流が前記流路の所定の位置に移動することにより、発色後の前記発色性液体によって前記画像表示領域に所望の画像が表示されることを特徴とする。
【０００８】
ここで、前記セグメント化発色性液体は、気体または液体である分断流体によって互いに分断されていることが好ましい。
【０００９】
また、前記発色手段は、前記発色性液体が前記セグメント化される時に前記発色性液体を発色させるのが好ましい。
【００１０】
また、前記流路が、前記画像表示領域の一端から他端までジグザグ状に形成され、前記画像表示領域を密に走査する形状に形成されているのが好ましい。
【００１１】
また、前記発色性液体が、無色であり、外部作用を受けて破壊される性質を備えた被膜によってマイクロカプセル化された発色剤と、前記発色剤に触れて前記発色剤を発色させる顕色剤またはカプラーとを含むことが好ましい。
【００１２】
また、前記マイクロカプセルが、前記発色剤を、所定温度以上に加熱されたときに破壊される被膜で密封したものであり、前記発色手段が、前記マイクロカプセルを前記所定温度以上に加熱する加熱手段であるのが好ましい。
【００１３】
また、前記発色剤は、第１の色を発色する発色剤であって、第１の温度以上の温度で破壊される材料でマイクロカプセル化された、第１の波長の紫外線により分解する第１の発色剤、第２の色を発色する発色剤であって、前記第１の温度より高い第２の温度以上の温度で破壊される材料でマイクロカプセル化された、第２の波長の紫外線により分解する第２の発色剤、および、前記第２の温度より高い第３の温度以上の温度で破壊される材料でマイクロカプセル化された、第３の色を発色する第３の発色剤を含み、前記顕色剤は、前記第１の発色剤を発色させる第１の顕色剤、前記第２の発色剤を発色させる第２の顕色剤、および前記第３の発色剤を発色させる第３の顕色剤を含み、前記発色手段は、前記発色性液体が前記第１の温度になるように加熱する第１の加熱手段、前記第１の波長の紫外線を照射する第１の紫外線照射装置、前記発色性液体が前記第２の温度になるように加熱する第２の加熱手段、前記第２の波長の紫外線を照射する第２の紫外線照射装置、および前記発色性液体が前記第３の温度になるように加熱する第３の加熱手段を前記順序で前記セグメント流の移動方向に沿って上流側から下流側に向かう方向に配列したものであることが好ましい。
【００１４】
また、前記発色剤は、第１の色を発色する第１の発色剤、第２の色を発色する第２の発色剤、および、第３の色を発色する第３の発色剤を含み、前記顕色剤は、第１の波長の光により顕色作用を消失させる材料を含む前記第１の発色剤を発色させる第１の顕色剤、第２の波長の光により顕色作用を消失させる材料を含む前記第２の発色剤を発色させる第２の顕色剤、および、第３の波長の光により顕色作用を消失させる材料を含む前記第３の発色剤を発色させる第３の顕色剤を有し、前記発色手段は、前記第１の波長の光を発光する第１の発光装置、前記第２の波長の光を発光する第２の発光装置、前記第３の波長の光を発光する第３の発光装置、および前記発色性液体を加熱する加熱手段を含むことが好ましい。
【発明の効果】
【００１５】
本発明によれば、外部からエネルギーの供給がなくても画像を保持でき、高耐久性かつ高彩度の画像を形成でき、構造が簡単で、小型化および画像の書き換えが可能な画像表示装置が得られる。
【発明を実施するための最良の形態】
【００１６】
（第１の実施形態）
以下、本発明の第１の実施形態に係る画像表示装置について詳細に説明する。図１は、本実施形態に係る画像表示装置１０の平面図であり、図２（ａ）は、同画像表示装置１０を図１中のＡ−Ａ´線を通り紙面に垂直な平面で切断した面を示した縦断面図（以下、紙面又は後述する画像表示板１と直交する平面で切断した切断面を示した図を「縦断面図」という。）であり、図２（ｂ）は、同画像表示装置１０を図１中のＢ−Ｂ´線を通る平面で切断した縦断面図である。図１に示したように、この画像表示装置１０は、平板状の画像表示板１、この画像表示板１に隣接配置されたセグメント流形成ユニット（セグメント流形成手段）３、および前記画像表示板１とセグメント流形成ユニット３との間に配設された発色ユニット（発色手段）６から構成されている。
【００１７】
画像表示板１は、透明な材料で形成されていればよく、材料は特に限定されない。例えば、ガラスや、アクリル、塩化ビニルのような、透明の樹脂等が挙げられる。
【００１８】
図１、図２（ａ）および図２（ｂ）に示したように、画像表示板１の内部には中空状の流路２が形成されている。画像表示板１の上表面には、複数の画素相当部がマトリックス状に配置されて画像表示領域が形成されている。流路２は画像表示領域に形成された各画素相当部の下側を通過するように形成されている。すなわち、流路２は、全ての画素相当部の下側をいわゆる「一筆書き」でなぞるようなツヅラ折形状に形成されている。流路２の形状としては、この他に、例えば渦巻き形に形成されたものが挙げられる。
【００１９】
本実施形態に係る流路２は、画像表示板１内でツヅラ折形状に形成された、一つの管状の孔によって形成されている。すなわち、図１に示したように、流路２は、画像表示板１の幅方向の一方の端から他方の端にのび、他方の端で１８０度折り返されて、前記一方の端にのびた、いわゆるジグザグ状に形成されている。この流路２には、発色液体および分断流体が流れるようになっており、流体の移動方向を規制する一本の移動経路となっている。
【００２０】
なお、図２（ａ）および図２（ｂ）に示すように、本実施形態に係る画像表示装置１０では、流路２は矩形の断面を備えているが、断面形状は矩形には限定されない。矩形以外の断面、例えば円形、楕円形或いは閉じた曲線状の断面を備えた流路２を形成してもよい。さらに、図１に示したように、本実施形態に係る画像表示装置１０では、流路２は画像表示板１の左右両端付近で直角に折れ曲がった形に形成されているが、これに限定されるものではない。例えば、流路２のうち、隣接する二つの直線部分の端部を接続する部分の流路は、その横断面（表示板の上表面に平行な面で切断した断面）が円弧を描くような曲面状に形成されていてもよい。
【００２１】
流路２の断面の形や面積は、後述する発色液体、および分断流体の表面張力にかかわらず、円滑に流れる限り、特に限定されない。例えば、流路２の断面の大きさ（幅、高さ又は直径）としては、（０．１〜１０ｍｍ）×（０．１〜１０ｍｍ）を挙げることができ、流路２の断面積としては０．０１〜１００ｍｍ2 を挙げることができる。また、後述するように、流路２は一つの画像表示板１内に複数形成されていてもよい。例えば、複数の流路２を互いに平行に、画像表示板１の頂部１１又は側部１３に平行に配設してもよい。その場合、後述するセグメント流形成ユニット３は一つのセグメント流形成ユニットから全ての流路２に発色液体および分断流体を供給してもよく、複数の流路２の各々にセグメント流形成ユニット３を配設してもよい。さらに流路２は透明材料で形成された管状のものであってもよい。
【００２２】
次に、流路２の壁面に形成された位置調整手段としての位置調整部について説明する。図３（ａ）は画像表示板１の平面図を部分的に拡大した図であり、図３（ｂ）は画像表示板１の断面図である。図３（ａ）および（ｂ）中、二点鎖線は一つの画素に相当する画素相当部Ｘの境界を示す。図３（ａ）に示したように、画像表示板１では、流路２（２ａ、２ｂ、２ｃ）の流路壁面の上部において、撥液体処理部２３が設けられ、この撥液体処理部２３により区画されて一つの画素に相当する画素相当部Ｘ（Ｘ1 ，Ｘ2 ，Ｘ3 ，…Ｘn ）が設けられている。
【００２３】
ここで「撥液体処理部」とは、撥液体処理が施された部分であり、後述する発色液体をはじく性質を付与された部分である。例えば、発色液体として水性の発色液体を用いる場合は、撥水処理が「撥液体処理」に該当し、油性の発色液体を用いる場合には、親水処理が「撥液体処理」に該当する。撥液体処理部の一つである、撥水処理部を形成する方法としては、フッ素樹脂などのフッ素系材料を塗布した後、リソグラフィー加工を施してフッ素樹脂をパターニングする方法、シリコーン系材料を塗布する方法、および表面粗さを変化させるなどの方法が挙げられる。
【００２４】
画像表示装置１０では、流路２内の画素相当部と画素相当部との境界部周辺に撥液体処理部２３が形成されているので、隣接する二つの撥液体処理部２３と撥液体処理部２３との間の流路２の上部壁面が、発色液体に対して、相対的に親和性を有する位置調整部２２となる。そのため、位置調整部２２の位置で保持させるべき発色液体が位置調整部２２と位置調整部２２との間の位置で停止した場合、この位置には撥液体処理部２３が形成されているため、発色液体は、より親和性の高い位置調整部２２の位置まで移動する。このように、流路２自身の性質により、流路２内に供給された発色液体の位置を調整することのできる効果、すなわち「セルフアライメント効果」が得られる。なお、撥液体処理部２３は画像表示板１の一部にのみ形成してもよい。
【００２５】
次に、本実施形態に係るセグメント流形成ユニット３について説明する。図１に示したように、画像表示装置１０の左側上部には、セグメント流形成ユニット（セグメント流形成手段）３および発色ユニット（発色手段）６が配設されている。セグメント流形成ユニット３は、後述する発色性液体を流路２に向けて間歇的に供給して、セグメント化された発色性液体からなるセグメント流を流路２内で形成する。すなわち、セグメント流形成ユニット３は、流路２に向けて発色性液体と分断流体とを所定のタイミングで供給する。供給された発色性液体はあとから供給された分断流体および発色性液体に押され、移動する。このとき、発色ユニットを通過する際に所定の外部作用を受け、所定の色を呈する発色液体となって流路２内に供給される。流路２内では、発色液体と分断流体とが配列されたセグメント流が生成されつつ移動し、セグメント流の形成と移動とが完了したときに画像表示板１上に画像を形成する。
【００２６】
図４は本実施形態に係るセグメント流形成ユニット３および発色ユニット６の内部を示した概略構成図である。図４に示したように、セグメント流形成ユニット３の内部には、発色性液体供給部４０、分断流体供給部５０、制御部３０が配設されている。発色性液体供給部４０と流路２の入口端２１とは配管３６および後述する配管２４で繋がれており、同様に、分断流体供給部５０と流路２の入口端２１とは配管３７および後述する配管２４で繋がれている。
【００２７】
配管３６および配管３７には、バルブ３４、３５がそれぞれ取り付けられている。制御部３０と発色性液体供給部４０との間は、配線３３で電気的に接続されている。制御部３０と分断流体供給部５０との間は、配線３８で電気的に接続されており、発色性液体供給部４０および分断流体供給部５０が制御部３０により制御されている。また、制御部３０とバルブ３４、３５とは、それぞれ配線３１、３２で接続されており、バルブ３４および３５を開閉することにより発色性液体および分断流体の各流量、およびそれぞれの供給と停止が制御部３０により制御される。
【００２８】
分断流体供給部５０の内部には、図示しない分断流体容器および加圧ポンプが配設され、加圧ポンプを作動させることにより分断流体容器内の分断流体を加圧し、配管３７を介して流路２に向けて送り出す。加圧ポンプは配線３８を介して制御部３０と電気的に接続されている。バルブ３５を開閉することにより流路２内への分断流体の供給をオン／オフ制御する。
【００２９】
ここで、分断流体は、後述する発色液体どうしを流路２内で分離して一定間隔を維持しながら搬送するための流体である。分断流体としては、発色液体と相溶性がなく、発色液体どうしを分離して一定間隔に維持しながら搬送できる流体であればよく、特に限定されない。分断流体Ｖは、気体でも液体でもよい。分断流体Ｖが、液体の場合には、例えば水、各種炭化水素類、シリコーンオイル、等を挙げることができる。また、分断流体Ｖが、気体の場合には、例えば空気、窒素、不活性ガス等を挙げることができる。
【００３０】
発色性液体供給部４０の内部には、図示しない発色性液体容器および加圧ポンプが配設されている。発色性容器内には、発色前の発色性液体ｄ（以下、発色前の発色性液体を「発色性液体ｄ」で表す。）が収容されている。ここで、「発色性液体」とは、外部作用を受けてＹ（イエロー）、Ｍ（マゼンタ）、Ｃ（シアン）等の特定の色を発色する液体である。外部作用とは、外部から与えられるエネルギーや刺激などの作用であり、例えば、熱、光、紫外線などをいう。本実施形態に係る発色性液体は、無色透明の発色剤をマイクロカプセル化したものと、この無色透明の発色剤と接触したときに、発色剤を特定の色に発色させる顕色剤とを含む無色の液体である。
【００３１】
本発明で用いる発色性液体としては、ロイコ色素型、ジアゾニウム塩型、ＴＡ（Thermo-Autochrome ）型等が挙げられる。ロイコ色素型の発色性液体は、発色剤としてのロイコ色素（塩基性色素前駆体）をゼラチン、尿素・ホルマリン樹脂、メラミン・ホルマリン樹脂、またはポリユリア・ポリウレタンアロイ等の材料でできたマイクロカプセルに収容し、顕色剤としてフェノール化合物を混合したものである。マイクロカプセルは、組成を変えることにより、破壊温度、すなわち加熱によりマイクロカプセルが破壊される温度が変えられる。したがって、発色性液体を加熱する温度を調節することにより発色性液体の発色、非発色を制御できる。
【００３２】
ジアゾニウム塩型の発色性液体は、ジアゾニウム塩をゼラチン、尿素・ホルマリン樹脂、メラミン・ホルマリン樹脂、またはポリユリア・ポリウレタンアロイ等の材料でできたマイクロカプセルに収容し、カプラーとしてα−ナフトール等を混合したものである。このジアゾニウム塩型の発色性液体では、加熱によりマイクロカプセルが破壊されてマイクロカプセル内に収容された発色剤（ジアゾニウム塩）がマイクロカプセルの外に流れ出し、マイクロカプセルの外部に分散したカプラーに触れ、アゾ色素を生成して発色する。
【００３３】
このジアゾニウム塩型の発色性液体を用いる場合は、発色不要のジアゾニウム塩に紫外線を照射して分解することにより、発色作用を消失させることができる。したがって、複数のジアゾニウム塩型発色剤、例えば発色する色が異なるジアゾニウム塩型発色剤をマイクロカプセル化したものと、各ジアゾニウム塩を発色させるカプラーとを混合することにより、発色する色を選択できる発色性液体が得られる。すなわち、所定の波長の紫外線を照射して発色不要のジアゾニウム塩を分解した後に加熱してマイクロカプセルを破壊することにより、分解していない残りのジアゾニウム塩が発色する色を発色させることができる。
【００３４】
ＴＡ（サーモオートクローム（商品名））［Thermo-Autochrome ］型の発色性液体は、上記ロイコ色素型の発色剤と顕色剤、およびジアゾニウム塩型の発色剤とカプラーとを組み合わせた発色性液体である。すなわち、Ｙ（イエロー）、Ｍ（マゼンタ）およびＣ（シアン）の三色を発色する発色性液体において、Ｙ（イエロー）およびＭ（マゼンタ）については上記ジアゾニウム塩型の発色剤およびカプラーを用い、Ｃ（シアン）については上記ロイコ色素型の発色剤および顕色剤を用いる。
【００３５】
本実施形態では、ＴＡ型の発色性液体を使用する。具体的には、破壊温度が異なる３種類の材料をマイクロカプセルの構成材料として使用し、破壊される温度が異なる３種類のマイクロカプセル内に、発色時にそれぞれＹ（イエロー）、Ｍ（マゼンタ）およびＣ（シアン）を発色する発色剤を収容し、これらのマイクロカプセルのまわりに顕色剤を分散させてなる発色性液体を用いる。
【００３６】
すなわち、本実施形態に係る発色性液体では、Ｙ（イエロー）、Ｍ（マゼンタ）およびＣ（シアン）の発色剤を、ゼラチン、尿素・ホルマリン樹脂、メラミン・ホルマリン樹脂、またはポリユリア・ポリウレタンアロイ等の材料でできたマイクロカプセルに収容し、発色する色が異なる三種類のマイクロカプセルを形成する。これらのマイクロカプセルは、それを構成する材料や樹脂の架橋度などの製造条件を変えることによりマイクロカプセルの皮膜の破壊温度を自由に設計できる。この特性を利用して本実施形態では、これらのマイクロカプセルは発色する色ごとにマイクロカプセルの皮膜を構成する材料や製造条件を変えて、発色する色ごとにマイクロカプセルの破壊温度が変えてある。例えば、Ｙ（イエロー）を発色する発色剤（ジアゾニウム塩）を収容したマイクロカプセルの皮膜は第１の温度（Ｔ１）で破壊する材料で構成し、Ｍ（マゼンタ）を発色する発色剤（ジアゾニウム塩）を収容したマイクロカプセルの皮膜は第１の温度（Ｔ１）より高い第２の温度（Ｔ２）で破壊する材料で構成し、Ｃ（シアン）を発色する発色剤（ロイコ色素）を収容したマイクロカプセルの皮膜は第２の温度より高い第３の温度（Ｔ３）で破壊する材料で構成する。これら三種類のマイクロカプセルの周囲にはＹ（イエロー）の発色剤を発色させるカプラー、Ｍ（マゼンタ）の発色剤を発色させるカプラー、および、Ｃ（シアン）を発色させる顕色剤が分散されている。
【００３７】
発色性液体中のマイクロカプセルに収容されたＹ（イエロー）の発色剤は、ジアゾニウム塩であり、特定の波長λ1 の紫外線が照射されると分解される性質を備えている。そのため、発色性液体に波長λ1 の紫外線を照射すると、Ｙ（イエロー）の発色剤は分解し、発色させる性質、すなわち発色性を消失する。その結果、発色性液体を第１の温度（Ｔ１）以上の所定の温度まで加熱して、Ｙ（イエロー）の発色剤を収容するマイクロカプセルを破壊し、中のＹ（イエロー）の発色剤がマイクロカプセルの外に流れ出すようにし、マイクロカプセルの外側に分散させたＹ（イエロー）を発色させるカプラーと接触させても、Ｙ（イエロー）は発色されない。
【００３８】
同様に、発色性液体中のマイクロカプセルに収容されたＭ（マゼンタ）の発色剤は、ジアゾニウム塩であり、特定の波長λ2 の紫外線が照射されると分解される。そのため、発色性液体に波長λ2 の紫外線を照射することによりＭ（マゼンタ）の発色剤を分解し、Ｍ（マゼンタ）についての発色性を消失させることができる。その結果、発色性液体を第１の温度（Ｔ１）より高い第２の温度（Ｔ２）以上の所定の温度まで加熱してマイクロカプセルを破壊し、マイクロカプセル中のＭ（マゼンタ）の発色剤をマイクロカプセルの外に流れ出させ、Ｍ（マゼンタ）を発色させるカプラーと接触させても、Ｍ（マゼンタ）は発色されない。
【００３９】
一方、発色性液体中のマイクロカプセルに収容されたＣ（シアン）の発色剤は、ロイコ色素であり、波長λ1 の紫外線および波長λ2 の紫外線を照射しても分解しない。そのため、発色性液体を第２の温度（Ｔ２）より高い第３の温度（Ｔ３）以上の所定の温度まで加熱してマイクロカプセルを破壊し、マイクロカプセル中のＣ（シアン）の発色剤をマイクロカプセルの外に流れ出させ、Ｃ（シアン）を発色させる顕色剤と接触させると、Ｃ（シアン）が発色される。
【００４０】
次に、本実施形態に係る発色性液体の発色機構について説明する。本実施形態に係る発色性液体に含まれるＹ（イエロー）の発色剤を発色させるには、発色性液体を第１の温度（Ｔ１）以上、かつ第２の温度（Ｔ２）未満の温度となるように加熱する。発色性液体が第１の温度（Ｔ１）以上の温度になると、Ｙ（イエロー）の発色剤を収容しているマイクロカプセルが破壊され、マイクロカプセルの内部に収容されているＹ（イエロー）の発色剤がマイクロカプセルの外に流れ出し、マイクロカプセルの外側に分散されているＹ（イエロー）を発色させるカプラーと接触してＹ（イエロー）を発色させる。発色性液体の温度を第２の温度未満の温度に維持することにより、Ｍ（マゼンタ）およびＣ（シアン）は発色されない。
【００４１】
本実施形態に係る発色性液体に含まれるＭ（マゼンタ）の発色剤を発色させるには、発色性液体を第１の温度（Ｔ１）より高く、かつ第３の温度（Ｔ３）未満の第２の温度（Ｔ２）になるように加熱する。発色性液体が第２の温度（Ｔ２）以上の温度になると、Ｍ（マゼンタ）の発色剤を収容しているマイクロカプセルが破壊され、マイクロカプセルの内部に収容されているＭ（マゼンタ）の発色剤がマイクロカプセルの外に流れ出し、マイクロカプセルの外側に分散されているＭ（マゼンタ）を発色させるカプラーと接触してＭ（マゼンタ）を発色させる。発色性液体の温度を第３の温度未満の温度に維持することにより、Ｃ（シアン）は発色されない。また、第２の温度（Ｔ２）に加熱する際にＹ（イエロー）を発色させないためには、発色性液体を加熱する前に、発色性液体に波長λ1 の紫外線を照射してＹ（イエロー）の発色剤を分解しておく。
【００４２】
本実施形態に係る発色性液体に含まれるＣ（シアン）の発色剤を発色させるには、発色性液体を第２の温度（Ｔ２）より高い、第３の温度（Ｔ３）になるように加熱する。発色性液体が第３の温度（Ｔ３）以上の温度になると、Ｃ（シアン）の発色剤を収容しているマイクロカプセルが破壊され、マイクロカプセルの内部に収容されているＣ（シアン）の発色剤がマイクロカプセルの外に流れ出し、マイクロカプセルの外側に分散されているＣ（シアン）を発色させる顕色剤と接触してＣ（シアン）を発色させる。第３の温度（Ｔ３）に加熱する際にＹ（イエロー）およびＭ（マゼンタ）を発色させないためには、発色性液体を第３の温度（Ｔ３）に加熱する前に、発色性液体に波長λ1 の紫外線および波長λ2 の紫外線を照射してＹ（イエロー）およびＭ（マゼンタ）の発色剤を分解しておく。
【００４３】
また、Ｙ（イエロー）、Ｍ（マゼンタ）およびＣ（シアン）のうちの一つを発色させないでおくことにより、他の色を呈する発色液体を形成することができる。例えば、Ｂ（青）を呈する発色液体を形成するには、Ｍ（マゼンタ）およびＣ（シアン）の発色剤を発色させる。すなわち、発色性液体に波長λ1 の紫外線を照射してＹ（イエロー）の発色剤を分解した後に第２の温度（Ｔ２）および第３の温度（Ｔ３）まで加熱してＣ（シアン）を発色させる。またＧ（緑）を呈する発色液体を形成するには、Ｙ（イエロー）およびＣ（シアン）の発色剤を発色させる。すなわち、第１の温度（Ｔ１）に加熱してＹ（イエロー）を発色させた後に、発色性液体に波長λ2 の紫外線を照射してＭ（マゼンタ）の発色剤を分解し、次いで第３の温度（Ｔ３）まで加熱してＣ（シアン）を発色させる。同様に、Ｒ（赤）を呈する発色液体を形成するには、Ｙ（イエロー）およびＭ（マゼンタ）の発色剤を発色させる。すなわち、第１の温度（Ｔ１）に加熱してＹ（イエロー）を発色させた後に、第２の温度（Ｔ２）まで加熱してＭ（マゼンタ）を発色させる。
【００４４】
さらに、Ｙ（イエロー）、Ｍ（マゼンタ）およびＣ（シアン）の三色を発色させるには、発色性液体が第３の温度（Ｔ３）になるように加熱することにより、Ｙ（イエロー）、Ｍ（マゼンタ）およびＣ（シアン）の三色が発色し、三色が混色された色、例えばＫ（黒）を呈する発色液体が形成される。また、第１の温度（Ｔ１）未満の低い温度に維持することにより、未発色の発色性液体の色、例えば無色またはＷ（白）を呈する発色液体を形成することができる。さらに、発色性液体を加熱する時間、照射する波長λ1 の紫外線、および波長λ2 の紫外線の強度を調節することにより、Ｙ（イエロー）、Ｍ（マゼンタ）およびＣ（シアン）の各色の発色濃度を調節でき、それにより更に様々な色を呈する発色液体を形成することができる。
【００４５】
次に本実施形態に係る発色ユニット６について説明する。図１および図４に示したように、セグメント流形成ユニット３と画像表示板１との間には、発色ユニット（発色手段）６が配設されている。この発色ユニット６内には、流路２が延設されて透明な材料で構成された配管２４が配設されており、この延設された配管２４の近傍には、第１の加熱手段としてのヒータ６２ａ、第１の紫外線照射装置としての紫外線ランプ６４ａ、第２の加熱手段としてのヒータ６２ｂ、第２の紫外線照射装置としての紫外線ランプ６４ｂ、および第３の加熱手段としてのヒータ６２ｃが、流路２４の流体移動方向すなわち図４の左から右に向かう方向に沿って一列に並べて配設されている。
【００４６】
ヒータ６２ａと制御部３０とは配線６１ａにより接続され、ヒータ６２ｂと制御部３０とは配線６１ｂにより接続され、ヒータ６２ｃと制御部３０とは配線６１ｃにより接続されている。紫外線ランプ６４ａと制御部３０とは配線６１ｄにより接続され、紫外線ランプ６４ｂと制御部３０とは配線６１ｅにより接続されている。制御部３０からの指令信号に基づいて、ヒータ６２ａは配管２４の領域２４１が第１の温度（Ｔ１）になるように、ヒータ６２ｂは配管２４の領域２４３が第１の温度より高い第２の温度（Ｔ２）になるように、ヒータ６２ｃは配管２４の領域２４５が第２の温度より高い第３の温度（Ｔ３）になるように、それぞれ加熱する。同様に、紫外線ランプ６４ａは制御部３０からの指令信号に基づいて配管２４の領域２４２に波長λ1 の紫外線を照射し、紫外線ランプ６４ｂは制御部３０からの指令信号に基づいて配管２４の領域２４４に波長λ2 の紫外線を照射する。また、紫外線ランプ６４ａおよび６４ｂは制御部３０からの指令信号に基づいて、それぞれ照射する紫外線の強度を変えられるようになっている。
【００４７】
次に、本実施形態に係る画像表示装置１０の発色機構について説明する。本実施形態に係る画像表示装置１０では、（発色前の）発色性液体ｄが、発色ユニット６に配設された配管２４内の、各ヒータ６２ａ〜６２ｃにより加熱される領域を通過する際に所定の色を発色する。即ち、発色性液体供給ユニット４０から供給された発色性液体ｄは、入口端２４ａから配管２４内に入り、配管２４内を図中左から右に移動し、出口端２４ｃを通って流露２に流入するまでの間に、各ヒータ６２ａ〜６２ｃにより与えられた熱、および紫外線ランプ６４ａ、６４ｂから照射される紫外線に晒されて所定の色を発色し、また、必要に応じて定着し、最終的には所望の色を呈する発色液体Ｄとなって流路２に供給される。
【００４８】
例えば、発色性液体ｄ中のＹ（イエロー）発色剤を発色させるには、制御部３０からヒータ６２ａおよび紫外線ランプ６４ａに指令信号を送る。指令信号を受けたヒータ６２ａは発熱して、配管２４の図中左端の領域２４１を第１の温度（Ｔ１）になるように加熱する。一方、指令信号を受けた紫外線ランプ６４ａは波長λ1 の紫外線を、配管２４の領域２４２に向けて照射する。この状態でバルブ３４を所定時間開いて発色性液体ｄを配管３７に供給し、次いでバルブ３５を所定時間開いて配管３６に分断流体Ｖを供給すると、発色性液体ｄは分断流体Ｖに押され、配管２４に供給され、配管２４内を図中左から右方向に移動する。
【００４９】
このとき、発色性液体ｄは配管２４内の領域２４１を通過し、この際に発色性液体ｄは第１の温度（Ｔ１）に晒される。発色性液体ｄのＹ（イエロー）を発色する発色剤を被覆するマイクロカプセルは第１の温度（Ｔ１）以上の温度に晒されると破壊されるため、領域２４１を通過する際に発色性液体ｄ中のＹ（イエロー）を収容しているマイクロカプセルは破壊され、マイクロカプセルの周囲に分散している顕色剤と触れてＹ（イエロー）を発色し、Ｙ（イエロー）を呈する発色性液体ｄとなる。Ｙ（イエロー）を発色した発色性液体ｄは、次いで配管２４の領域２４２を通過する。このときにＹ（イエロー）を呈する発色性液体ｄは波長λ1 の紫外線に晒される。発色性液体ｄに含まれるＹ（イエロー）の発色剤は、波長λ1 の紫外線を照射されると分解する性質を備えている。そのため、領域２４２を通過する際に未発色のＹ（イエロー）の発色剤は分解して、それ以上のＹ（イエロー）を発色する機能を失う。その結果、発色性液体ｄのＹ（イエロー）については、領域２４２通過時に定着される。
【００５０】
次に、発色性液体ｄについてＭ（マゼンタ）を発色させるには、制御部３０によりヒータ６２ｂおよび紫外線ランプ６４ｂに通電し、ヒータ６２ｂにより配管２４の領域２４３を第２の温度（Ｔ２）になるように加熱し、配管２４の領域２４４に波長λ2 の紫外線を照射する。この状態で発色性液体ｄを移動させて領域２４３、および領域２４４を通過させると、領域２４３通過時に発色性液体ｄは第２の温度（Ｔ２）に晒される。発色性液体ｄ中の、Ｍ（マゼンタ）の発色剤を被覆するマイクロカプセルは第３の温度（Ｔ３）以上の温度に晒されると破壊される性質を備えているので、領域２４３通過時にマイクロカプセルが破壊されて中に収容されているＭ（マゼンタ）の発色剤がマイクロカプセルの外部に流れ出し、マイクロカプセルの周囲に分散されている顕色剤に触れてＭ（マゼンタ）を発色する。
【００５１】
次いで、Ｍ（マゼンタ）の発色剤を発色させた発色性液体ｄが領域２４４を通過すると、発色性液体ｄは波長λ2 の紫外線に晒される。発色性液体ｄに含まれるＭ（マゼンタ）の発色剤は、波長λ2 の紫外線に晒されると分解する性質を備えている。そのため、発色性液体ｄが領域２４４を通過することにより発色性液体ｄに含まれるＭ（マゼンタ）の発色剤は分解して、それ以上のＭ（マゼンタ）を発色する機能を失う。その結果、発色性液体ｄのＭ（マゼンタ）については、領域２４４通過時に定着される。
【００５２】
次に、発色性液体ｄについてＣ（シアン）を発色させるには、制御部３０によりヒータ６２ｃに通電し、ヒータ６２ｃにより配管２４の領域２４５を第３の温度（Ｔ３）になるように加熱する。この状態で発色性液体ｄを移動させて領域２４５を通過させると、領域２４５通過時に発色性液体ｄは第３の温度（Ｔ３）に晒される。発色性液体ｄに含まれる、Ｃ（シアン）の発色剤を被覆するマイクロカプセルは第３の温度（Ｔ３）以上の温度に晒されると破壊する性質を備えているので、領域２４５通過時にマイクロカプセルが破壊して中に収容されているＣ（シアン）の発色剤がマイクロカプセルの外部に流れ出し、マイクロカプセルの周囲に分散されている顕色剤に触れてＣ（シアン）を発色する。
【００５３】
以上説明したように、本実施形態に係る画像表示装置１０では、配管２４の流体移動方向の上流側から下流側に沿って、ヒータ６２ａ、紫外線ランプ６４ａ、ヒータ６２ｂ、紫外線ランプ６４ｂ、およびヒータ６２ｃをこの順に並べて配設し、発色性液体ｄに含まれるＹ（イエロー）、Ｍ（マゼンタ）およびＣ（シアン）の各発色剤のそれぞれについて、低温で破壊されるマイクロカプセルに収容された発色剤の発色する色について定着させた後に次に高い温度で破壊されるマイクロカプセルに収容された発色剤の発色する色を発色させる構成となっている。そのため、Ｙ（イエロー）、Ｍ（マゼンタ）およびＣ（シアン）の各発色剤についてそれぞれ独立して発色させることができ、Ｙ（イエロー）、Ｍ（マゼンタ）およびＣ（シアン）の三色のうち、いずれか一色を発色させることもでき、三色のうちの二色だけを発色させることもでき、三色すべてを発色させることもできる。また、三色のすべてについて未発色のままにしておくこともできる。
【００５４】
例えば、発色性液体ｄに含まれるＹ（イエロー）の発色剤を発色させてＹ（イエロー）を呈する発色液体Ｄを形成する場合には、制御部３０によりヒータ６２ａに通電した状態で発色性液体ｄに配管２４を通過させると、領域２４１通過時にＹ（イエロー）を発色する。さらに配管２４内を下流方向に移動させると流路２にＹ（イエロー）を呈する発色液体Ｄが供給される。なお、Ｙ（イエロー）を呈する発色液体Ｄを形成する場合、紫外線ランプ６４ａに通電してＹ（イエロー）の定着を行ってもよい。さらに、紫外線ランプ６４ｂによるＭ（マゼンタ）の定着を行ってもよい。
【００５５】
Ｍ（マゼンタ）を呈する発色液体Ｄを形成するには、制御部３０により紫外線ランプ６４ａおよびヒータ６２ｂに通電して、配管２４の領域２４２に波長λ1 の紫外線を照射させ、領域２４３を第２の温度（Ｔ２）になるように加熱する。この状態で発色性液体ｄを入口端２４ａから配管２４に供給して出口端２４ｂの方に移動させると、発色性液体ｄは領域２４１ではＹ（イエロー）を発色せず、次いで領域２４２通過時にＹ（イエロー）を未発色のままＹ（イエロー）の発色剤を分解させる。さらに発色性液体ｄを移動させると、領域２４３通過時に発色性液体ｄは第２の温度（Ｔ２）に晒され、Ｍ（マゼンタ）を発色する。このとき発色性液体ｄは、Ｙ（イエロー）の発色剤がＹ（イエロー）を発色する第１の温度（Ｔ１）より高い第２の温度に晒されるが、領域２４２通過時にＹ（イエロー）の発色剤は分解して既に発色する機能を失っているため、第２の温度（Ｔ２）に晒されてもＹ（イエロー）の発色は起こらず、Ｍ（マゼンタ）のみ発色する。さらに配管２４内を下流方向に移動させると流路２にＭ（マゼンタ）を呈する発色液体Ｄが供給される。なお、Ｍ（マゼンタ）を呈する発色液体Ｄを形成する場合、紫外線ランプ６４ｂに通電してＭ（マゼンタ）の定着を行ってもよい。
【００５６】
Ｃ（シアン）を呈する発色液体Ｄを形成するには、制御部３０により紫外線ランプ６４ａ、６４ｂおよびヒータ６２ｃに通電して、配管２４の領域２４２に波長λ1 の紫外線を照射させ、領域２４４に波長λ2 の紫外線を照射させ、領域２４５を第３の温度（Ｔ３）になるように加熱する。この状態で発色性液体ｄを入口端２４ａから配管２４に供給して出口端２４ｂの方に移動させると、発色性液体ｄは領域２４１でＹ（イエロー）を発色せず、次いで領域２４２通過時にＹ（イエロー）を未発色のままＹ（イエロー）の発色剤を分解させ、領域２４３でＭ（マゼンタ）を発色させることなく領域２４４に移動し、ここでＭ（マゼンタ）未発色のままＭ（マゼンタ）の発色剤を分解させる。さらに発色性液体ｄを移動させると、領域２４５通過時に発色性液体ｄは第３の温度（Ｔ３）に晒され、Ｃ（シアン）を発色する。
【００５７】
このとき発色性液体ｄは、Ｙ（イエロー）の発色剤を収容するマイクロカプセルが破壊される第１の温度（Ｔ１）よりも高く、さらにＭ（マゼンタ）の発色剤を収容するマイクロカプセル破壊される第２の温度（Ｔ２）よりも高い第３の温度（Ｔ３）に晒されるが、領域２４２通過時にＹ（イエロー）の発色剤は分解して既に発色する機能を失っており、領域２４４通過時にＭ（マゼンタ）の発色剤は分解して既に発色する機能を失っている。そのため、第３の温度（Ｔ３）に晒されても、Ｙ（イエロー）の発色もＭ（マゼンタ）の発色も起こらず、Ｃ（シアン）のみ発色する。さらに配管２４内を下流方向に移動させると流路２にＣ（シアン）を呈する発色液体Ｄが供給される。
【００５８】
同様に、ヒータ６２ａ〜６２ｃおよび紫外線ランプ６４ａ、６４ｂを制御することにより発色液体ｄに含まれるＹ（イエロー）、Ｍ（マゼンタ）およびＣ（シアン）の発色剤のうち、二色のみを発色させることができる。
【００５９】
例えば、Ｙ（イエロー）およびＭ（マゼンタ）の二色を発色させるには、ヒータ６２ａ、６２ｂおよび紫外線ランプ６４ａ、６４ｂに通電して領域２４１を第１の温度（Ｔ１）に、領域２４３を第２の温度（Ｔ２）にそれぞれ加熱し、領域２４２に波長λ1 の紫外線を、領域２４４に波長λ2 の紫外線を照射させた状態で、入口端２４ａから配管２４内に発色性液体ｄを供給し、出口端２４ｂに向けて移動させる。発色性液体ｄは領域２４１でＹ（イエロー）を発色させ、領域２４２で定着させる。次いで領域２４３でＭ（マゼンタ）の発色剤を発色させ、領域２４４で定着させる。このとき、発色性液体ｄはＹ（イエロー）とＭ（マゼンタ）とが重なってＲ（赤）を呈する。そのまま領域２４５で加熱されることなく領域２４５を通過し、流路２にＲ（赤）の発色液体Ｄとして供給される。なお、紫外線ランプ６４ｂによるＭ（マゼンタ）の定着は省略してもよい。
【００６０】
また、Ｙ（イエロー）およびＣ（シアン）の二色を発色させるには、ヒータ６２ａ、６２ｃおよび紫外線ランプ６４ａ、６４ｂに通電して領域２４１を第１の温度（Ｔ１）に、領域２４５を第３の温度（Ｔ３）にそれぞれ加熱し、領域２４２に波長λ1 の紫外線を、領域２４４に波長λ2 の紫外線を照射させた状態で、入口端２４ａから配管２４内に発色性液体ｄを供給し、出口端２４ｂに向けて移動させる。発色性液体ｄは領域２４１でＹ（イエロー）を発色させ、領域２４２で定着させる。次いで領域２４３ではＭ（マゼンタ）の発色剤を発色させることなく通過し、領域２４４でＭ（マゼンタ）の発色剤を分解させる。このとき、発色性液体ｄはＹ（イエロー）を呈する。次いで領域２４５を通過する際にＣ（シアン）の発色剤を発色させる。このとき発色性液体ｄはＹ（イエロー）とＣ（シアン）とでＧ（緑）を呈する。次いで流路２にはＧ（緑）の発色液体Ｄとして供給される。
【００６１】
さらに、Ｍ（マゼンタ）およびＣ（シアン）の二色を発色させるには、ヒータ６２ｂ、６２ｃおよび紫外線ランプ６４ａ、６４ｂに通電して領域２４３を第２の温度（Ｔ２）に、領域２４５を第３の温度（Ｔ３）にそれぞれ加熱し、領域２４２に波長λ1 の紫外線を、領域２４４に波長λ2 の紫外線を照射させた状態で、入口端２４ａから配管２４内に発色性液体ｄを供給し、出口端２４ｂに向けて移動させる。発色性液体ｄは領域２４１でＹ（イエロー）を発色させることなく通過し、領域２４２でＹ（イエロー）の発色剤を分解させる。このとき、発色性液体は無色または白色である。次いで領域２４３でＭ（マゼンタ）を発色させ、続く領域２４４でＭ（マゼンタ）を定着させる。このとき、発色性液体ｄはＭ（マゼンタ）を呈する。次いで領域２４５を通過する際にＣ（シアン）の発色剤を発色させる。このとき発色性液体ｄはＭ（マゼンタ）とＣ（シアン）とでＢ（青）を呈する。次いで流路２にはＢ（青）の発色液体Ｄとして供給される。
【００６２】
また、Ｙ（イエロー）、Ｍ（マゼンタ）およびＣ（シアン）の全てを発色させるには、ヒータ６２ａ〜６２ｃおよび紫外線ランプ６４ａ、６４ｂに通電して領域２４１を第１の温度（Ｔ１）に、領域２４３を第２の温度（Ｔ２）に、領域２４５を第３の温度（Ｔ３）にそれぞれ加熱し、領域２４２に波長λ1 の紫外線を、領域２４４に波長λ2 の紫外線をそれぞれ照射し、発色性液体ｄに配管２４内を移動させる。発色性液体ｄは領域２４１でＹ（イエロー）の発色剤を発色させ、領域２４２でＹ（イエロー）を定着させ、領域２４３でＭ（マゼンタ）の発色剤を発色させ、領域２４４でＭ（マゼンタ）を定着させ、領域２４５でＣ（シアン）の発色剤を発色させる。配管２４の出口端２４ｂに到達するときには発色性液体ｄはＹ（イエロー）、Ｍ（マゼンタ）およびＣ（シアン）の全てを発色させて、これらが重なってできる色、例えばＫ（黒）を呈する。かくして流路２にはＫ（黒）を呈する発色液体Ｄとして供給される。なお、紫外線ランプ６４ａ、６４ｂによる定着は省略することもできる。
【００６３】
また、発色性液体ｄに含まれるＹ（イエロー）、Ｍ（マゼンタ）およびＣ（シアン）の発色剤の全てについて、発色させることなく流路２へ供給することもできる。その場合にはヒータ６２ａ〜６２ｃおよび紫外線ランプ６４ａ、６４ｂに通電することなく、発色性液体ｄに配管２４を通過させ、流路２に供給する。流路２には未発色の発色性液体ｄの色、例えば無色またはＷ（白）の発色液体Ｄが供給される。なお、紫外線ランプ６４ａ、６４は通電した状態で発色性液体ｄに配管２４を通過させてもよい。
【００６４】
以上説明したように、ヒータ６２ａ〜６２ｃおよび紫外線ランプ６４ａ、６４ｂを制御することにより、Ｙ（イエロー）、Ｍ（マゼンタ）、Ｃ（シアン）、Ｒ（赤）、Ｇ（緑）、Ｂ（青）、Ｋ（黒）およびＷ（白）または無色の合計８色の発色液体Ｄを形成することができる。さらに、ヒータ６２ａ〜６２ｃの出力、紫外線ランプ６４ａ、６４ｂの出力、分断流体Ｖや発色性液体ｄの供給速度を適宜調節することにより、各領域２４１、２４３および２４５での発色濃度を調節することもできる。発色濃度を調節することにより、上記の８色よりも更に多くの色を呈する発色液体Ｄを形成することも可能である。
【００６５】
次に、画像表示板１と画像情報との関係について説明する。本実施形態に係る画像表示装置１０に画像を表示させるには、例えばスキャナーなどの入力装置と画像表示装置１０とを接続し、入力装置から画像情報を入力する。図５は本実施形態に係る画像表示装置１０を、入力画面１６を備えた入力装置と接続した場合の、入力画面１６と画像表示板１との関係を示した図である。図５に示したように、画像表示板１では、その上表面に画像表示領域１５が形成されている。流路２には、発色液体Ｄと分断流体Ｖの供給が停止した際、発色液体Ｄが所定の位置に調整されて位置決めされるように位置調整部が設けられており、この位置調整部の位置に応じて、画像表示領域１５には複数個の画素相当部Ｘ1 ，Ｘ2 ，Ｘ3 ，…がマトリックス状に形成されている。これら画素相当部Ｘ1 ，Ｘ2 ，Ｘ3 ，…の各々が、画像表示領域１５に画像を表示する場合の画素、すなわち画像を構成する最小単位となっている。一方、入力装置で得られる画像上の点ｐは、画像表示板１の上表面に点線で示した画像表示領域１５中の点Ｐに対応する。従って、点ｐの画像情報が入力されると、画像表示領域１５の点Ｐに位置決めされるべき発色液体Ｄの色や濃度が定まる。
【００６６】
次に、点ｐの画像情報が入力された後、画像表示板１上に点Ｐの点画像（ドット）が形成されるまでの手順について説明する。図６は画像情報の入力から実際に画像が形成されるまでの処理の流れを示したフローチャートである。
【００６７】
スキャナーなどの入力装置から、各画素に対応した画像情報が入力されると（ステップ１）、制御部３０では、各画素に相当する画像表示板１上の点（画素の点ｐに対応する点Ｐ）に点画像（ドット）を形成するのに必要なセグメント流として、順次、発色液体Ｄおよび分断流体Ｖからなるセグメント流が決定される。このセグメント流は、発色液体Ｄ、および、発色液体Ｄどうしを分断する分断流体Ｖから構成され、流路２内に移動させた際に、発色液体Ｄが、流路２の所定位置（具体的には、画像表示領域１５上に表示しようとする画像を構成するドットの位置）に供給されるようなセグメント流である。
【００６８】
例えば、図５に示した画像表示板１上の点Ｐに点画像（ドット）を形成するためのセグメント流は、先頭部すなわち画像表示領域１５の右下の画素相当部Ｘz から点Ｐの直前の画素相当部（Ｘn+1 ）までの流路２を満たす量の分断流体Ｖ、点Ｐに点画像（ドット）を形成する画素相当部Ｘn の流路２を満たす量の発色液体Ｄ、および、点Ｐの直後の画素相当部（Ｘn-1 ）から最後尾すなわち画素相当部Ｘ1 までの流路２を満たす量の分断流体Ｖを、この順序に配列したセグメント流である。
【００６９】
より具体的には、セグメント流を形成するのに必要なデータ、すなわち、発色性液体ｄおよび分断流体Ｖに関するデータ（以下「流体データ」という。）を算出する。すなわち、点Ｐに点画像（ドット）を形成するのに必要な発色性液体ｄの量、発色性液体ｄを発色させて得られる発色液体Ｄを点Ｐの位置まで移動させるのに必要な分断流体Ｖ（画素相当部Ｘz から画素相当部Ｘn+1 までの流路２を満たす量の分断流体Ｖ、および、画素相当部Ｘn-1 から画素相当部Ｘ1 までの流路２を満たす量の分断流体Ｖ）の体積、およびそれらの発色性液体ｄおよび分断流体Ｖを供給するためのバルブ３４、３５を開閉するタイミング、発色性液体ｄおよび分断流体Ｖを加圧するポンプの圧力などの流体データを算出する（ステップ２）。
【００７０】
次いで、発色性液体ｄに点Ｐの点画像（ドット）の色を発色させるのに必要な、Ｙ（イエロー）、Ｍ（マゼンタ）およびＣ（シアン）の発色剤の発色濃度、その発色濃度まで発色させるのに必要なヒータ６２ａ〜６２ｃの発熱量および発熱タイミング、紫外線ランプ６４ａ、６４ｂに照射させる紫外線の強度、照射させるタイミングなど、発色性液体ｄを発色させるのに必要な、セグメント流形成ユニット３および発色ユニット６の操作に関するデータ（以下「発色データ」という。）を算出し（ステップ３）、これらの流体データと発色データとに基づいて、バルブ３４、３５、ヒータ６２ａ〜６２ｃ、および紫外線ランプ６４ａ、６４ｂを作動させ（ステップ４）、必要量の発色性液体ｄおよび分断流体Ｖを配管２４内に供給する。
【００７１】
具体的には、点Ｐの点画像（ドット）の色を表示させるのに必要なＹ（イエロー）、Ｍ（マゼンタ）およびＣ（シアン）の各発色剤の発色濃度に対応した、各ヒータ６２ａ〜６２ｃへの電力、紫外線ランプ６４ａ、６４ｂへの電力が制御部３０からの指令に基づいて所定のタイミングで供給され、さらに、点Ｐに点画像（ドット）を形成するのに必要な量の発色性液体ｄが、バルブ３４、３５の開閉により配管２４に間歇的に供給される。配管２４の各領域２４１、２４３および２４５は所定の温度に加熱され、領域２４２および２４４には所定の波長の紫外線が所定の強度で照射される。この状態で配管２４内に発色性液体ｄが供給されると、発色性液体ｄは所定の温度と紫外線とに晒されて、所定の色および濃度を有する発色液体Ｄが形成される。次いでバルブ３４を所定のタイミングで開閉することにより発色液体Ｄが流路２に供給される。次いでバルブ３５を所定時間開き、所定量の分断流体Ｖを流路２に供給する。
【００７２】
所定量の分断流体Ｖ、具体的には流路２の入口端２１から点Ｐまでの流路２の容積に相当する体積の分断流体Ｖの供給が終わった時点でバルブ３４を閉じる。所定体積の分断流体Ｖの供給が終わった時点で流路２内にはセグメント化された発色液体Ｄからなるセグメント流の形成と移動とが完了する。すなわち、この時点で発色液体Ｄは点Ｐの位置まで移動しており、点Ｐに発色液体Ｄによる点画像（ドット）が表示される。
【００７３】
次に、画像表示板１上にアルファベットの文字「Ａ」を表示する場合の操作について説明する。図７は表示しようとする画像と画像表示領域１５との関係を示した図である。上述した点Ｐに画像を表示する場合と同様に、スキャナーなどの入力装置からアルファベットの文字「Ａ」の画像情報が入力されると、制御部３０では、文字「Ａ」を表示するために必要なセグメント流が決定される。このセグメント流は、画像表示領域１５上に文字「Ａ」の画像を表示させる複数の点Ｐ1 ，Ｐ2 ，Ｐ3 ，…Ｐz に点画像（ドット）を形成する発色液体Ｄ（Ｄ1 ，Ｄ2 ，Ｄ3 ，…Ｄz ）と、各発色液体Ｄ（Ｄ1 ，Ｄ2 ，Ｄ3 ，…Ｄz ）どうしを分断して流路２内の所定位置に各発色液体Ｄ（Ｄ1 ，Ｄ2 ，Ｄ3 ，…Ｄz ）を供給するための分断流体Ｖとを交互に配列してなるセグメント流である。
【００７４】
具体的には、図７に示した画像表示領域１５の右下の画素相当部ＸZ から点Ｐ1 までの流路２を満たす量の分断流体Ｖ1 、点Ｐ1 の点画像（ドット）を形成する発色液体Ｄ1 、点Ｐ1 と点Ｐ2 との間の流路２を満たす量の分断流体Ｖ2 、点Ｐ2 の点画像（ドット）を形成する発色液体Ｄ2 、点Ｐ2 と点Ｐ3 との間の流路２を満たす量の分断流体Ｖ3 、点Ｐ3 の点画像（ドット）を形成する発色液体Ｄ3 、点Ｐ3 と点Ｐ4 との間の流路２を満たす量の分断流体Ｖ4 、…、点ＰZ の点画像（ドット）を形成する発色液体ＤZ 、および点ＰZ と画素相当部Ｘ1 との間の流路２を満たす量の分断流体ＶZ+1 を、この順に配置してなるセグメント流を決定する。
【００７５】
すなわち、点Ｐ1 ，Ｐ2 ，Ｐ3 ，…Ｐz の点画像（ドット）を構成する発色液体Ｄ（Ｄ1 ，Ｄ2 ，Ｄ3 ，…Ｄz ）となる発色性液体ｄ（ｄ1 ，ｄ2 ，ｄ3 ，…ｄz ）の体積、各点Ｐ1 ，Ｐ2 ，Ｐ3 ，…Ｐz の位置にそれぞれ発色液体Ｄ（Ｄ1 ，Ｄ2 ，Ｄ3 ，…Ｄz ）を移動させるのに必要な分断流体Ｖ1 ，Ｖ2 ，Ｖ3 ，…ＶZ+1 の体積、およびそれらの発色性液体ｄ（ｄ1 ，ｄ2 ，ｄ3 ，…ｄz ）および分断流体Ｖ（Ｖ1 ，Ｖ2 ，Ｖ3 ，…Ｖz ）を供給するためのバルブ３４、３５を開閉するタイミング、発色性液体ｄおよび分断流体Ｖを加圧するポンプの圧力などの流体データ、および、発色性液体ｄに点Ｐの点画像（ドット）の色を発色させるのに必要な、Ｙ（イエロー）、Ｍ（マゼンタ）およびＣ（シアン）の発色剤の発色濃度、その発色濃度まで発色させるのに必要なヒータ６２ａ〜６２ｃの発熱量および発熱タイミング、紫外線ランプ６４ａ、６４ｂに照射させる紫外線の強度、照射させるタイミングなどの発色データを算出する。次いで算出した流体データおよび発色データに基づいて、ヒータ６２ａ〜６２ｃを発熱させ、紫外線ランプ６４ａ、６４ｂから紫外線を照射させ、バルブ３４、３５を開閉すると、所定体積の発色性液体ｄ（ｄ1 ，ｄ2 ，ｄ3 ，…ｄz ）、および各分断流体Ｖ1 ，Ｖ2 ，Ｖ3 ，…ＶZ+1 が配管２４に供給され、配管２４の領域２４１〜２４５を通過することにより、発色性液体ｄ（ｄ1 ，ｄ2 ，ｄ3 ，…ｄz ）は所定の色を呈する発色液体Ｄ（Ｄ1 ，Ｄ2 ，Ｄ3 ，…Ｄz ）となって、各分断流体Ｖ1 ，Ｖ2 ，Ｖ3 ，…ＶZ+1 と交互に流路２に供給される。すなわち流路２内に、セグメント化された発色液体Ｄからなるセグメント流が徐々に形成されてゆき、流路２内を移動してゆく。
【００７６】
全ての発色液体Ｄ（Ｄ1 ，Ｄ2 ，Ｄ3 ，…Ｄz ）と分断流体Ｖ（Ｖ1 ，Ｖ2 ，Ｖ3 ，…ＶZ+1 ）の供給が完了すると、流路２内にセグメント化された発色液体Ｄからなるセグメント流が完成し、それと同時に流路２内のセグメント流移動が完了する。その結果、各点Ｐ1 ，Ｐ2 ，Ｐ3 ，…Ｐz の位置に所定体積の発色液体Ｄ（Ｄ1 ，Ｄ2 ，Ｄ3 ，…Ｄz ）が移動し、各点Ｐ1 ，Ｐ2 ，Ｐ3 ，…Ｐz の位置に発色液体Ｄ（Ｄ1 ，Ｄ2 ，Ｄ3 ，…Ｄz ）が配置されて点画像（ドット）が形成され、画像表示板１の画像表示領域１５に文字「Ａ」の画像が表示される。この様子を示したのが図８および図９である。図８は画像形成開始から画像形成完了までの動作を示したタイミングチャートであり、図９は画像形成開始から画像形成完了までの画像表示領域１５上の変化を示した画像表示装置１０の平面図である。
【００７７】
即ち、最初に分断流体Ｖ1 を供給するために、時間ｔ0 〜ｔ1,1 でバルブ３５を開いて配管２４に分断流体Ｖを供給する。次いで、点Ｐ1 の位置に点画像（ドット）を形成する発色液体Ｄ1 を形成するために、時間ｔ1,1 〜ｔ1,2 でバルブ３４を開いて発色液体Ｄ1 に対応する量の発色性液体ｄ1 を配管２４に供給する。次いで時間ｔ1,2 〜ｔ2,1 でバルブ３５を開いて配管２４に所定量の分断流体Ｖ（Ｖ2 ）を供給して発色性液体ｄ1 に配管２４の領域２４１〜２４５を移動させる。このとき、発色性液体ｄ1 は、ヒータ６２ａによる熱、紫外線ランプ６４ａによる紫外線、ヒータ６２ｂによる熱、紫外線ランプ６４ｂによる紫外線、およびヒータ６２ｃによる熱に晒されて所望の色を呈する発色液体Ｄ1 となり、次いで発色液体Ｄ1 と分断流体Ｖ2 とが流路２に供給される。
【００７８】
以下同様に、時間ｔ2,1 〜ｔ2,2 でバルブ３４を開き、時間ｔ2,2 〜ｔ3,1 でバルブ３５を開くことにより、発色性液体ｄ2 が配管２４の領域２４１〜２４５を通過して所定の色を呈する発色液体Ｄ2 となり、発色液体Ｄ2 と分断流体Ｖとが流露２に供給され、時間ｔ3,1 〜ｔ3,2 でバルブ３４を開き、時間ｔ3,2 〜ｔ4,1 でバルブ３５を開くことにより、発色性液体ｄ3 が配管２４の領域２４１〜２４５を通過して所定の色を呈する発色液体Ｄ3 となり、発色液体Ｄ3 と分断流体Ｖ4 とが流露２に供給される。
【００７９】
以下同様にして、バルブ３４、３５を、所定のタイミングで作動させることにより、発色液体Ｄ4 、分断流体Ｖ5 、…発色液体Ｄn 、分断流体Ｖn+1 、…の順に供給し、最後に発色液体Ｄz 、次いで分断流体Ｖz+1 を供給する。時間の経過とともに、発色液体Ｄ（Ｄ1 ，Ｄ2 ，Ｄ3 ，…Ｄn ）と分断流体Ｖ（Ｖ1 ，Ｖ2 ，Ｖ3 ，…Ｖn ）が流路２内に供給され、発色液体Ｄ（Ｄ1 ，Ｄ2 ，Ｄ3 ，…Ｄn ）どうしは互いに一定の間隔を保ちながら図９（ａ）および図９（ｂ）に示したように流路２の下流方向に移動する。そして最後の分断流体Ｖz+1 を供給し終わると、流路２内に上記決定したセグメント流が形成される。このセグメント流では、画像表示領域１５にアルファベットの文字「Ａ」を表示させる点画像（ドット）の位置、すなわち点Ｐ1 ，Ｐ2 ，Ｐ3 ，…Ｐz に所定体積の発色液体Ｄ（Ｄ1 ，Ｄ2 ，Ｄ3 ，…Ｄz ）が供給されるように分断流体Ｖ（Ｖ1 ，Ｖ2 ，Ｖ3 ，…Ｖz+1 ）と発色液体Ｄ（Ｄ1 ，Ｄ2 ，Ｄ3 ，…Ｄz ）とが配列されている。そのため、流路２内に上記決定したセグメント流が形成されると、図９（ｃ）に示したように、文字「Ａ」が画像表示板１の表面の画像表示領域１５に現れる。
【００８０】
なお、本発明の範囲は、上記実施形態の内容に限定されない。例えば、上記実施形態では発色性液体として、特定波長の光が照射されたときに特定の色を呈する発色性液体を用い、発色ユニットとして紫外線ランプを用いた場合を代表例にして説明したが、発色性液体ｄは、熱が与えられたときに特定色を呈する発色性液体であってもよく、発色ユニットとして、発色性液体を加熱するヒータを用いたものであってもよい。さらに、上記実施形態では、発色剤を密封したマイクロカプセルと顕色剤とを組み合わせた発色性液体を用いる場合を例にして説明したが、特定色を呈する発色剤と、発色剤を脱色する脱色剤を密封したマイクロカプセルとを組み合わせた発色性液体を用いることもできる。
【００８１】
以上説明したように、本実施形態に係る画像表示装置１０では、流路２内に供給する発色性液体および分断流体の量を調節することにより画像を形成し保持するので、装置の外部からエネルギーを供給することなく画像を保持することができる。また、画像保持の為にエネルギーを必要としないので、耐久性に富む画像を形成する画像表示装置を提供することができる。更に、画像表示板自体には、流路が形成されている以外には、電極や回路等の微細な部品を備えていない。そのため構造が簡単で、小型化可能な画像表示装置を提供することができる。
【００８２】
また、本実施形態に係る画像表示装置では、発色性液体として発色剤をマイクロカプセル化したものと発色剤と触れたときに発色剤を発色させる顕色剤との混合物を使用し、画像表示板１の入口に配設した発色ユニットで所望の色に発色させて流路２の所定の位置に搬送する。そのため、流路２内に搬送する前に各色発色剤を混合して所定の色を呈するように、事前に発色剤を調合する手間を省略できる。さらに混合のための機構が不要なため、画像表示装置１０の構造を簡単にすることができる。
【００８３】
（第二の実施の形態）
以下、本発明の第二の実施形態に係る画像表示装置について説明する。本実施形態に係る画像表示装置は、光記録型の発色性液体を使用し、発色ユニットとして光記録型の発色性液体に対応した構造の発色ユニットを備えていること以外は第一の実施形態と同じ画像表示装置である。
【００８４】
本実施形態に係る発色ユニット６Ａでは、光記録形の発色性液体に、波長の異なる三種類の紫外線を照射し、しかる後に発色性液体を加熱する構造を備えている。図１０は本実施形態に係るセグメント流形成ユニット３および発色ユニット６Ａの内部を示した図である。図１０に示したように、本実施形態に係る発色ユニット６Ａでは、配管２４に沿って、配管２４の流体移動方向（図１０中の左から右に向かう方向）の上流側に三台の発光装置６３ａ〜６３ｃが設けられ、発光装置６３ａ〜６３ｃのさらに下流側には一台のヒータ６２ｄが設けられている。発光装置６３ａと制御部３０とは配線６５ａにより接続され、発光装置６３ｂと制御部３０とは配線６５ｂにより接続され、発光装置６３ｃと制御部３０とは配線６５ｃにより接続され、ヒータ６２ｄと制御部３０とは配線６５ｄにより接続されている。
【００８５】
発光装置６３ａは配管２４の外側から波長λ3 の光を照射し、発光装置６３ｂは配管２４の外側から波長λ4 の光を照射し、発光装置６３ｃは配管２４の外側から波長λ5 の光を照射する。ヒータ６２ｄは所定の熱量を配管２４に対して供給する。したがって、バルブ３５を所定時間開いた後に閉じ、次いでバルブ３４を開くことにより、配管２４内に発色性液体ｄが供給され、配管２４を上流側から下流側に移動する。この配管２４内を移動する間に発色性液体ｄは、波長λ3 の光、波長λ4 の光、波長λ5 の光に晒され、次いでヒータ６２ｄにより供給された熱に晒される。
【００８６】
本実施形態に係る画像表示装置では、光記録型の発色性液体ｄを用いる。この光記録型の発色性液体ｄは、マイクロカプセル化された発色剤および顕色剤からなり、顕色剤中に光重合性モノマーが含まれている。光重合性モノマーを含む顕色剤を有する発色性液体ｄは、特定の波長の光が照射されると、顕色剤が重合硬化して顕色作用、すなわち、発色剤と触れて特定の色を発色させる作用を失う。
具体的な化合物としては、例えば特許出願公開昭和６０−１１９５５２号公報、同昭和６１−１２３８３８号公報、同平成４−２１１２５２号公報、同平成３−８７８２７号公報、同２０００−７５４７６号公報に記載された公知のものを用いる。
【００８７】
本実施形態では、発色剤として、三色の色素、例えばＹ（イエロー）、Ｍ（マゼンタ）およびＣ（シアン）のそれぞれを発色する三種類のロイコ色素をそれぞれマイクロカプセル化したものと、三種類のロイコ色素をそれぞれ発色させる三種類の顕色剤を使用する。一方、光重合反応を開始させる光の波長が異なる三種類の光重合性モノマーを用意し、それぞれ上記三種類の顕色剤と混合して三種類の顕色剤粒子を生成した。すなわち、波長λ3 の光が照射されたときに重合する光重合性モノマーをＹ（イエロー）の顕色剤と混合して粒子化し、波長λ4 の光が照射されたときに重合する光重合性モノマーをＭ（マゼンタ）の顕色剤と混合して粒子化し、波長λ5 の光が照射されたときに重合する光重合性モノマーをＣ（シアン）の顕色剤と混合して粒子化した。
【００８８】
上記三種類のマイクロカプセルと、三種類の顕色剤粒子とを混合して発色性液体ｄを得た。この発色性液体ｄにはマイクロカプセル化されたＹ（イエロー）、Ｍ（マゼンタ）およびＣ（シアン）の三種類の発色剤と、これらの発色剤と接触してＹ（イエロー）、Ｍ（マゼンタ）およびＣ（シアン）のそれぞれを発色させる三種類の顕色剤を含む顕色剤粒子とを含んでいる。Ｙ（イエロー）を発色させる顕色剤粒子中には、波長λ3 の光が照射されたときに光重合する光重合性モノマーが含まれており、Ｍ（マゼンタ）を発色させる顕色剤粒子中には波長λ4 の光が照射されたときに光重合する光重合性モノマーが含まれており、Ｃ（シアン）を発色させる顕色剤粒子中には波長λ5 の光が照射されたときに光重合する光重合性モノマーが含まれている。したがって、この発色性液体ｄはλ3 、λ4 或いはλ5 の波長の光を照射した後に加熱することにより発色する色を変えることができる。
【００８９】
例えば、λ3 の波長の光を照射した後に加熱すると、Ｙ（イエロー）を発色させる顕色剤粒子中の光重合性モノマーが光重合してＹ（イエロー）を発色させる顕色剤の顕色作用を失わせる。そのため、発色性液体ｄを所定温度に加熱してマイクロカプセルを破壊させると、マイクロカプセル内に収容された発色剤がマイクロカプセルの外に流れ出して顕色剤粒子に接触するが、Ｙ（イエロー）を発色させる顕色剤は顕色作用を失っているので、Ｙ（イエロー）の発色剤と接触してもＹ（イエロー）は発色されない。
【００９０】
一方、加熱によりマイクロカプセルが破壊すると、Ｍ（マゼンタ）およびＣ（シアン）の発色剤もマイクロカプセルの外に流れ出す。Ｍ（マゼンタ）の発色剤はＭ（マゼンタ）を発色させる顕色剤粒子と接触してＭ（マゼンタ）を発色させ、Ｃ（シアン）の発色剤はＣ（シアン）を発色させる顕色剤粒子と接触してＣ（シアン）を発色させる。その結果、発色性液体ｄはＭ（マゼンタ）とＣ（シアン）とが混色されてＢ（青）を呈する発色液体Ｄとなる。同様に、発色性液体ｄに波長λ4 の光を照射した後に加熱するとＭ（マゼンタ）の顕色剤の顕色作用が失われてＹ（イエロー）およびＣ（シアン）とが混色されてＧ（緑）を呈する発色液体Ｄとなり、発色性液体ｄに波長λ5 の光を照射した後に加熱するとＣ（シアン）の顕色剤の顕色作用が失なわれてＹ（イエロー）およびＭ（マゼンタ）とが混色されてＲ（赤）を呈する発色液体Ｄとなる。
【００９１】
また、同様に、波長λ3 の光と波長λ4 の光とを照射した後に加熱するとＣ（シアン）呈する発色液体Ｄとなり、波長λ4 の光と波長λ5 の光とを照射した後に加熱するとＹ（イエロー）を呈する発色液体Ｄとなり、波長λ5 の光と波長λ3 の光とを照射した後に加熱するとＭ（マゼンタ）を呈する発色液体Ｄとなる。さらに波長λ3 の光、波長λ4 の光および波長λ5 を照射した後に加熱すると、全く発色しない、すなわち無色或いは白色の発色液体Ｄとなり、波長λ3 の光、波長λ4 の光および波長λ5 のいずれの光も照射せずに加熱するとＹ（イエロー）、Ｍ（マゼンタ）およびＣ（シアン）の全てが発色してＫ（黒）を呈する発色液体Ｄとなる。さらに、照射する光の強度を調節することにより発色濃度が変えられる。このような発色機能を備えた発色性液体ｄを図９に示した画像表示装置で使用することにより様々な色を呈する発色液体Ｄを形成することができ、この発色液体Ｄにより様々な色の色表示点による画像を表示することができる。
【００９２】
なお、本実施形態では配管２４に沿って三台の発光装置６３ａ〜６３ｃを設け、配管２４内を移動する発色性液体ｄに対して波長λ3 の紫外線、波長λ4 の紫外線、および波長λ5 の紫外線を順次照射する構成としたが、配管２４内の発色性液体ｄに対して波長λ3 の紫外線、波長λ4 の紫外線、および波長λ5 の紫外線を同時に照射する構造にしてもよい。例えば、配管２４の一点を中心とし、配管２４の長手方向を法線とする平面上に描いた円の円周上に三台の発光装置６３ａ〜６３ｃを設けることにより、配管２４内の発色性液体ｄに対して波長λ3 の紫外線、波長λ4 の紫外線、および波長λ5 の紫外線を同時に照射することができる。
【００９３】
なお、上記実施形態では、画像表示板１内に一本の流路２が形成された構造の画像表示装置１を例にして説明したが、これに限定されない。画像表示板内１内において、画像表示板１の上表面から見たときに画像表示板１の厚さ方向に重なった複数の流路が形成された画像表示装置を用いることもできる。さらに画像表示板内１内において画像表示板１の上表面に平行に配列された複数の流路が形成された画像表示装置を用いることもできる。
【００９４】
後者の例では、画像表示板１の上表面において、前記複数の流路のそれぞれの上側にＲ（赤）、Ｇ（緑）およびＢ（青）の光を透過するカラーフィルタを流路ごとに設け、上記複数の流路のそれぞれには発色液体と分断流体とを交互に供給したセグメント流体を供給し、このセグメント流体中の発色液体を画像を構成する点または領域に保持し、発色液体または分断流体とその上のカラーフィルタを透過する光で所定の色を有する光を形成し、これらの光を重ね合わせることにより所望の色を表示する色表示点または色表示領域を形成させ、この色表示点または色表示領域によりカラー画像を表示することもできる。
【図面の簡単な説明】
【００９５】
【図１】本発明の第一の実施形態に係る画像表示装置の平面図である。
【図２】本発明の第一の実施形態に係る画像表示板の縦断面図である。
【図３】（ａ）は本発明の第一の実施形態に係る画像表示板の平面図であり、（ｂ）はその縦断面図である。
【図４】本発明の第一の実施形態に係るセグメント流形成ユニットおよび発色ユニット内部の概略構成図である。
【図５】本発明の第一の実施形態に係る入力画面と画像表示板との関係を示した図である。
【図６】画像情報の入力から画像形成までのフローチャートである。
【図７】入力画面と画像表示板との関係を示した図である。
【図８】画像形成開始から画像形成完了までのタイミングチャートである。
【図９】画像形成開始から完了までの変化を示した画像表示装置の平面図である。
【図１０】第二の実施形態に係るセグメント流形成ユニットおよび発色ユニット内部の概略構成図である。
【符号の説明】
【００９６】
１                画像表示板
２                流路
３                セグメント流形成ユニット
６                発色ユニット
１０              画像表示装置
１５              マトリックス（画像表示領域）
６２ａ〜６２ｃ    ヒータ（加熱手段）
６３ａ〜６３ｃ    発光装置
６４ａ，６４ｂ    紫外線ランプ（紫外線照射装置）
Ｘ                画素相当部
ｄ                発色性液体
Ｄ                発色液体
Ｖ                分断流体
【図１】
2005084317.tif 000003
【図２】
2005084317.tif 000004
【図３】
2005084317.tif 000005
【図４】
2005084317.tif 000006
【図５】
2005084317.tif 000007
【図６】
2005084317.tif 000008
【図７】
2005084317.tif 000009
【図８】
2005084317.tif 000010
【図９】
2005084317.tif 000011
【図１０】
2005084317.tif 000012